(57)【要約】【課題】木密地域に適した延焼防止システムを提供する。【解決手段】建物２２が密集して設けられた地域に設置される延焼防止システム１において、延焼防止システム１が、建物２２間又は複数の建物２２がある区画２１間に設けられたに設けられた配管１０と、配管１０の基端１０ａ側に設けられる給水手段１２と、配管１０に接続されたドレンチャヘッド１１と、を備えるものとし、給水手段１２を、該地域において、火災が発生した際に、配管１０に給水可能なものとし、ドレンチャヘッド１１を、配管１０に給水がされた際に、放水を行うものとする。【選択図】図２
2019063199.tif 000002
【特許請求の範囲】
【請求項１】
建物が密集して設けられた地域に設置される延焼防止システムであって、
該建物間又は複数の建物がある区画間に設けられた配管と、
該配管の基端側に設けられる給水手段と、
該配管に接続されたドレンチャヘッドと、を備え、
該給水手段は、該地域において、火災が発生した際に、該配管に給水するために設けられており、
該ドレンチャヘッドは、該配管に給水がされた際に、放水を行うものであることを特徴とする延焼防止システム。
【請求項２】
前記ドレンチャヘッドは、前記建物と前記建物との間に幕状に放水するものであることを特徴とする請求項１に記載の延焼防止システム。
【請求項３】
前記ドレンチャヘッドは、前記建物と前記建物との間の屋根近傍に設けられ、隣り合う前記建物の屋根に放水することを特徴とする請求項１に記載の延焼防止システム。
【請求項４】
前記ドレンチャヘッドは、前記建物の屋根又は屋根の近傍に設けられ、前記屋根に放水することを特徴とする請求項１に記載に延焼防止システム。
【請求項５】
前記給水手段は、消防車が通行可能な幅の道路に、又は、該道路に面して設置された送水口であることを特徴とする請求項１乃至４の何れかに記載の延焼防止システム。
【発明の詳細な説明】
【技術分野】
【０００１】
本発明は、延焼防止システムに関し、詳細には、特に、木密地域に適した延焼防止システムに関する。
【背景技術】
【０００２】
従来、木造の建物が密集して建てられている地域（木密地域）がある。この木密地域においては、木という材料の特性と共に隣接している建物と建物との間隔が非常に狭くなっているため、その地域のある建物で火災が発生した場合、その周囲の建物にも容易に延焼してしまうという問題がある。
【０００３】
又、木密地域においては、路地の道幅も狭いものとなっているため、火災現場の近傍まで消防車等の比較的大型の車輌が進入することが困難である場合があり、消火活動が効率的に行えない場合もある。このことも、周囲の建物への延焼しやすい要因となっている。
【０００４】
例えば、特許文献１の消火設備においては、各建物に、散水設備を設け、該散水設備をその建物のある地域に張り巡らされた配管に接続し、外部から該配管に送水可能な送水口を、大型の車両が通行可能な比較的道幅の広い道路に設けることにより、消防車等が火災現場の近傍まで進入できなくとも、火災現場に消火水を散水し、消火することが可能となっている。
【先行技術文献】
【特許文献】
【０００５】
【特許文献１】特開２０１２−２００３５９号公報
【発明の概要】
【発明が解決しようとする課題】
【０００６】
建物の延焼の要因となる炎等は、当然に、その建物の外部より遣って来るものである。風向等の条件次第では、火元である建物のある区画のみならず、路地により隔たれた隣接する区画や更に離間した区画にも飛び火して延焼し、より大規模な火災に発展することすらある。
【０００７】
従来の消火設備は、あくまで、建物内の消火を目的とするものであり、建物の延焼そのものを防止することを目的とするものではないため、散水設備は、多くの火災で火元となる建物の内部に設けられており、建物の外部から遣って来る炎や飛び火等に対応するのは困難なものであった。そのため、従来の消火設備は、火元もしくは既に延焼してしまった建物を消火し、それ以上の延焼を喰い止めるという点においては、優れたものであるが、火災が起きた建物周囲の建物の延焼そのものを防止という点からは、不十分なものであった。
【０００８】
そこで、本発明は、この様な木密地域の実情に鑑み、木密地域に適した延焼防止システムを提供すること目的とする。
【課題を解決するための手段】
【０００９】
本発明は、建物が密集して設けられた地域に設置される延焼防止システムであって、該建物間又は複数の建物がある区画間に設けられた配管と、該配管の基端側に設けられる給水手段と、該配管に接続されたドレンチャヘッドと、を備え、該給水手段は、該地域において、火災が発生した際に、該配管に給水するために設けられており、該ドレンチャヘッドは、該配管に給水がされた際に、放水を行うものであることを特徴とする延焼防止システムである。
【００１０】
尚、本発明は、前記ドレンチャヘッドを、前記建物と前記建物との間に幕状に放水するものとすることが可能である。又、本発明は、前記ドレンチャヘッドを、前記建物と前記建物との間の屋根近傍に設けられ、隣り合う前記建物の屋根に放水するものとすることが可能である。又、本発明は、前記ドレンチャヘッドを、前記建物の屋根又は屋根の近傍に設けられ、前記屋根に放水するものとすることが可能である。又、本発明は、前記給水手段を、消防車が通行可能な幅の道路に、又は、該道路に面して設置された送水口とすることが可能である。
【発明の効果】
【００１１】
本発明は、建物間又は複数の建物がある区画間に配管を設け、該配管にドレンチャヘッドを接続し、給水手段からの給水によって、該ドレンチャヘッドから放水する様にしたので、該放水により他の建物に延焼することを防止することが可能である。
【図面の簡単な説明】
【００１２】
【図１】本発明の実施形態を示す略図である。
【図２】本発明の実施形態を示す図であり、（ａ）が木密地域の略図であり、（ｂ）が（ａ）の要部拡大図である。
【発明を実施するための形態】
【００１３】
本発明の実施形態を図１及び図２に基づき説明する。延焼防止システム１は、木密地域２に設置され、配管１０、ドレンチャヘッド１１及び送水口１２を備えている。
【００１４】
木密地域２は、例えば、路地２０により隔たれた複数の区画２１からなっており、各区画２１には、家屋等の木造の建物２２が密集して設けられている。この様な木密地域２は、多くの場合、路地２０は、消防車３等の比較的大型の車輌の通行が困難な道幅となっており、各隣り合う建物２２，２２間は、人一人が通るのが難しい位の距離である。
【００１５】
配管１０は、建物２２を囲む様に建物２２と建物２２との間に張り巡らされている。配管１０の基端（上流側端）１０ａには、配管１０に給水するための給水手段の一例である送水口１２が設けられている。又、配管１０の先端（下流側端）１０ｂには、配管１０内の残水を排水するための排水弁１３が設けられている。配管１０を設置する位置等は、必要に応じて適宜選択可能であるが、本実施形態においては、配管１０は、地面４に沿って這う様に張り巡らされている。
【００１６】
本実施形態において、送水口１２は、消防車３のホースが、例えば接続金具を介して接続可能に設けられており、該ホースを介して、消防車３からの消火用水を配管１０内に給水可能となっている。送水口１２は、少なくとも消防車３が通行可能な道幅の道路５から該ホースが届く位置に設けられており、好適には、道路５に、又は、道路５に面して設けられる。尚、ホースの長さ以内であれば道路５から奥まった路地２０に送水口１２を設けてもよい。
【００１７】
ドレンチャヘッド１１は、配管１０に接続されている。ドレンチャヘッド１１は、木密地域２で火災が発生した際に、送水口１２から給水された配管１０内の水を放水し、建物２２，２２間に幕状の水幕Ｗを形成したり、建物２２に対して放水したりすることにより、建物２２の延焼を防止するものである。ドレンチャヘッド１１の設置位置や放水パターンその他は、必要に応じて適宜採用することが可能であるが、例えば、以下の様なものが採用可能である。
【００１８】
（Ａ）ドレンチャヘッド１１Ａは、配管１０から略鉛直方向へと延在する側管１４Ａの下流側端に接続される形で、建物２２，２２間に設けられている。ドレンチャヘッド１１Ａは、上方に向かって、幕状の水を放水することで水幕ＷＡを形成可能となっている。ドレンチャヘッド１１Ａは、建物２２，２２間を、水幕ＷＡにより隔てることで、既に、火災が起こっている建物２２Ａから隣り合う建物２２への延焼を防止することを可能としている。このとき水幕ＷＡの高さは、屋根２２ａよりも高い位置まで放水することが好ましい。
【００１９】
（Ｂ）ドレンチャヘッド１１Ｂは、配管１０から建物２２の屋根２２ａ近傍、例えば、屋根２２ａの軒先２２ｂ又はその近傍、の高さまで略鉛直方向へと延在する側管１４Ｂの下流側端に接続される形で建物２２と建物２２との間の屋根２２ａ近傍に設けられている。ドレンチャヘッド１１Ｂは、幕状の水を放水することによって略扇状の水幕ＷＢを形成し、それによって、屋根２２ａ，２２ａに対して放水可能となっており、隣り合う建物２２，２２の屋根２２ａ，２２ａを水幕ＷＢで覆うことによって、火災が起こっている建物２２Ａからの飛び火によって建物２２が延焼することを防止することを可能としている。
【００２０】
（Ｃ）ドレンチャヘッド１１Ｃは、配管１０から建物２２に沿って、屋根２２ａ又はその近傍、例えば、棟２２ｃ又はその近傍、まで延在する側管１４Ｃの下流側端に接続される形で、屋根２２ａ又はその近傍に設けられており、屋根２２ａに対して、幕状の水を放水して略弧状の水幕ＷＣを形成可能となっており、それによって、屋根２２ａを水幕ＷＣで覆う様になっている。本実施形態において、側管１４Ｃは、屋根２２ａの軒下から屋根２２ａ内を通って、棟２２ｃの近傍まで延在している。それによって、ドレンチャヘッド１１Ｃは、火災が起こっている建物２２Ａからの飛び火によって建物２２が延焼することを防止することを可能としている。なお側管１４Ｃは屋根の外に設けるようにしてもよい。
【００２１】
（Ｄ）ドレンチャヘッド１１Ｄは、側管１４Ｃと同様の側管１４Ｄの下流側端に接続される形で、屋根２２ａ又はその近傍に設けられており、屋根２２ａに対して、屋根２２ａに沿って幕状の水を放水可能となっている。それによって、ドレンチャヘッド１１Ｄは、屋根２２ａを覆う様に水幕ＷＤを形成することができる様になっており、火災が起こっている建物２２Ａからの飛び火によって建物２２が延焼することを防止することを可能としている。
【００２２】
（Ｅ）ドレンチャヘッド１１Ｅは、側管１４Ｂと同様の側管１４Ｅの下流側端に接続される形で、屋根２２ａ又はその近傍に設けられており、屋根２２ａに対して、屋根２２ａに沿って幕状の水を放水可能となっている。それによって、ドレンチャヘッド１１Ｅは、屋根２２ａを覆う様に水幕ＷＥを形成することができる様になっており、火災が起こっている建物２２Ａからの飛び火によって建物２２が延焼することを防止することを可能としている。
【００２３】
そして、ドレンチャヘッド１１は、水幕Ｗを可能な限り隙間なく張ることができる間隔、例えば、建物２２の辺に沿って略等間隔、で設置される。この際に、同種類のドレンチャヘッド１１を設置してもよく、又、複種類のドレンチャヘッド１１、例えば、建物２２，２２間に水幕ＷＡを形成するドレンチャヘッド１１Ａと屋根２２ａに対して水幕ＷＢ，ＷＣ，ＷＤ，ＷＥを形成するドレンチャヘッド１１Ｂ，１１Ｃ，１１Ｄ，１１Ｅとを組み合わせて設置することも可能である。
【００２４】
木密地域２のある建物２２、例えば、建物２２Ａ、で火災が発生した際に、通報等によって、木密地域２に到着した消防車３のホースを送水口１２へと接続し、消防車３の消火水を、送水口１２を介して配管１０内に給水する。そうすると、延焼防止システム１は、各ドレンチャヘッド１１から建物２２，２２間や屋根２２ａに対して順次放水を開始して、幕状に水を放水し、水幕Ｗを形成する。水幕Ｗによって、炎や飛び火は妨げられるため、建物２２Ａから他の建物２２への延焼が防止される。
【００２５】
送水口１２が、少なくとも道路５から消防車３のホースが届く範囲に設けられているため路地２０が狭く、消防車３等が火災現場まで進入することが困難な木密地域２においても、効果的に延焼を防止することが可能である。
【００２６】
以上、本発明を上記実施形態に基づき説明したが、本発明は、上記実施形態に限定されるものではなく、発明の要旨を変更しない範囲で適宜変更可能である。
【００２７】
例えば、（１）消防車３から配管１０内に給水する代わりに消火栓、貯水槽、貯水池、湖沼、河川や海等にある水をポンプ等で圧送し、送水口１２から配管１０内に給水する様にすることも可能である。
【００２８】
（２）配管１０を地面４よりも高い位置、例えば、軒先２２ｂや棟２２ｃやそれ以上の高さに設置してもよい。軒先２２ｂの高さに配管１０を設け、この配管１０に上向きに放水するドレンチャヘッドと下向きに放水するドレンチャヘッドをそれぞれ設けてもよい。
【００２９】
（３）側管１４Ａを側管１４Ｂ，１４Ｅの様に延在させると共に側管１４Ａにドレンチャヘッド１１Ａを下方に向けて接続し、ドレンチャヘッド１１Ａから下方に向かって放水し、水幕ＷＡを建物２２，２２間に形成する様にしてもよい。
【００３０】
（４）配管１０内の水圧や水量に余裕がある場合は、ドレンチャヘッド１１が、複数の方向へと放水するものであってもよい。例えば、ドレンチャヘッド１１Ｂを水幕ＷＡの様な水幕（図示せず）を下方に向かって更に形成可能なものとし、建物２２の屋根２２ａに対して水幕ＷＢを形成すると共に建物２２，２２間にも水幕を形成する様にすることも可能である。
【００３１】
（５）側管１４Ｂを側管１４Ａの様に短くし、ドレンチャヘッド１１Ｂによって、隣り合う建物２２，２２の壁に対して放水する様にすることも可能である。
【００３２】
（６）配管１０を、公設水道等の建物２２内にある給水手段に接続し、消防車３が木密地域２に到着するまでの間、当該建物２２の延焼を取りあえず防止する様にしてもよい。
【００３３】
（７）延焼防止システム１は、建物２２全体を水幕Ｗで覆い、外からの飛び火などによって延焼を防止するものであるが、風の影響を受け、飛び火が屋根２２ａに着火して延焼することが多いことから、地上から噴き上げる水幕Ｗの高さは、屋根２２ａの高さ以上とすることが好ましい。特に建物２２が密集する木密地域２においては、屋根２２ａの軒先２２ｂより上側だけを水幕状に放水することで、飛び火による屋根２２ａへの着火を防止でき、茅葺屋根などが使用される建物２２に好適なシステムとなる。
【００３４】
（８）配管１０は各建物の周りに張り巡らすように配置したが、密集した複数の建物をひとまとめにして、区画２１単位で配管１０を張り巡らすように設けてもよい。
【符号の説明】
【００３５】
１      延焼防止システム    １０    配管                １０ａ  基端
１０ｂ  先端                １１    ドレンチャヘッド    １２    送水口
１３    排水弁              １４    側管                ２      木密地域
２０    路地                ２１    区画                ２２    建物
２２ａ  屋根                ２２ｂ  軒先                ２２ｃ  棟
３      消防車              ４      地面                ５      道路
Ｗ      水幕
【図１】
2019063199.tif 000003
【図２】
2019063199.tif 000004